(57)【要約】【課題】本考案は、下部宝石のカットによる反射面を上部宝石の上部から見通すことを可能とした装飾品用宝石を提供することを目的とするものである。【解決手段】本考案は、透明の上部宝石と、該上部宝石の下部に配設された有色宝石とを備え、前記上部宝石のパビリオン下部に凹部を設けた上、前記有色宝石の少なくともテーブルからクラウンにかけての部分を該凹部に収納して両者を連結固定したことを特徴とする装飾品用宝石である。【選択図】図１
0003206303.tif 000002
【実用新案登録請求の範囲】
【請求項１】
透明の上部宝石と、該上部宝石の下部に配設された有色宝石とを備え、前記上部宝石のパビリオン下部に凹部を設けた上、前記有色宝石の少なくともテーブルからクラウンにかけての部分を該凹部に収納して両者を連結固定したことを特徴とする装飾品用宝石。
【請求項２】
前記上部宝石のパビリオン下部に設けた凹部が、前記有色宝石のテーブルからクラウンにかけての部分を収納できるサイズであることを特徴とする請求項１に記載の装飾品用宝石。
【請求項３】
前記上部宝石のパビリオン下部に設けた凹部が、前記有色宝石のテーブルからクラウンにかけての部分を収納し、さらにその上部にアーチ状の空間を形成されていることを特徴とする請求項１に記載の装飾品用宝石。
【請求項４】
透明の上部宝石と、該上部宝石の下部に配設された有色宝石とを備え、前記上部宝石のパビリオン下部に水平面を形成した上、前記有色宝石のテーブル面を前記水平面に突き合わせて両者を連結固定したことを特徴とする装飾品用宝石。
【請求項５】
透明の上部宝石と、該上部宝石の下部に配設された有色宝石とを備え、前記上部宝石および有色宝石のパビリオン下部に水平面をそれぞれ形成した上、前記有色宝石を反転してその水平面を前記上部宝石の水平面に突き合わせて両者を連結固定したことを特徴とする装飾品用宝石。
【請求項６】
透明の上部宝石と、該上部宝石の下部に配設された有色宝石とを備え、前記有色宝石のパビリオン下部に凹部を形成した上、前記上部宝石のパビリオン下部を前記有色宝石の凹部に収納して両者を連結固定したことを特徴とする装飾品用宝石。
【請求項７】
透明の上部宝石と、該上部宝石の下部に配設された有色宝石とを備え、その両者を上下の開口部を設けた枠内に収納したことを特徴とする請求項１ないし６のいずれかに記載の装飾品用宝石。
【請求項８】
透明の上部宝石と、該上部宝石の下部に配設された有色宝石とが、そのいずれかないし両者を複数の縦割りパーツを連結することにより宝石としてなるものであることを特徴とする請求項１ないし７のいずれかに記載の装飾品用宝石。
【考案の詳細な説明】
【技術分野】
【０００１】
本考案は、指輪やペンダント等の装飾品に用いることができるダイヤモンド、貴石、半貴石、合成石、人造石、キュービックジルコニア等からなる装飾品用宝石に関するものである。
【背景技術】
【０００２】
本考案に関連しそうな先行技術は下記の通りである。
＜連結型＞
ａ）特開平７−２８４４０６号公報（図２８（ａ），（ｂ）および図２９（ａ），（ｂ）参照）
この指輪１は、ブルー色系のサファイヤ２に設けた凹部２ａに、カラーグレードの高くないダイヤモンド１のパビリオンの先端部分を密着状態で嵌め込み、２段重ねの状態で宝石用指輪に石留めしたものである。
ｂ）特開２００４−８９６８６号公報
切子形を施された主石を用意し、主石を劈開させて、平面を有する主石上部と平面を有する主石下部とに分割する。主石下部の平面に中空部を形成する。中空部に切子形の施された副石を配置する。
ｃ）実用新案登録第３００６６８３号公報
安価な小粒の色石のテーブル面の中心部に円錐型のくぼみを作り 宝石用指輪の空枠の爪の付け根にその色石を石留して後テーブル面のくぼみに ダイヤモンドのキュレット部を入れて密着して二段重ねの状態で ダイヤモンドを石留する。下段の色石の色が上段の無色透明のダイヤモンドのクラウン部に波及し天然カラーダイヤモンドの輝きの風合をもつ指輪ができあがる。
ｄ）米国特許公開２００８/００８７０４２号
この考案の装飾品は、第１の色の切子面と基部からなる第１の宝石と、第２の色の切子面と基部からなる第２の宝石から構成され、第１の宝石の基部と第２の宝石の基部を合わせ、第１の宝石を第２の宝石の上に重ねて合体し、１つの宝石を形成し、宝石を指輪の台座に取り付けることを特徴とする。
ｅ）米国特許公開２０１２/０２４０６２２号
この考案の埋め込まれた宝石は、テーブル位置に穴が開いた窪みからなり、第一直径を持つ第一宝石、それに連結され、・さな直径の第二宝石からなる。第一宝石の窪みに抵抗適合し、第一宝石は、第二宝石に連結され、第二宝石の一部は、窪み内部に配置されることを特徴とする。
【０００３】
＜間隔形成型＞
Ａ）特開平７−２８４４０６号公報
装飾台に、装飾基材を留める大型の固定部と、この大型の固定部の内側に更に小型の固定部が備えられた装飾体であって、大型の固定部には装飾体のメインとなる透明な基材が固定され、小型の固定部には有色の基材が固定され、メインとなる透明な基材を通して内側に固定された有色の基材が見えるように配置したことを特徴とする装飾体。
Ｂ）特開２００９−２２５８３７号公報
本体に形成された基部から立上がる爪体により宝石を固定する装身具において、宝石の下方に一定空間を持たせつつ、宝石の下部面に対し反射宝石の上部中央面がほぼ平行となるよう反射宝石を装身具の基部に取り付けることで、宝石に反射宝石からの反射光を照射するようにした装身具。
Ｃ）特開２０１２−１６１５６４号公報
装身具本体と、装身具本体に取り付けられる少なくとも一つの台座と、互いに離れた状態で前記台座に配置される第一の宝石及び第二の宝石と、有し、第一の宝石は透明材料から構成され、第二の宝石は有色材料から構成され、第一の宝石における第二の宝石に対向する面が平坦に形成されるように、装身具を構成する。
【先行技術文献】
【特許文献】
【０００４】
【特許文献１】特開平７−２８４４０６号公報
【特許文献２】特開２００４−８９６８６号公報
【特許文献３】実用新案登録第３００６６８３号公報
【特許文献４】米国特許公開２００８/００８７０４２号
【特許文献５】米国特許公開２０１２/０２４０６２２号
【特許文献６】特開平７−２８４４０６号公報
【特許文献７】特開２００９−２２５８３７号公報
【特許文献８】特開２０１２−１６１５６４号公報
【考案の概要】
【考案が解決しようとする課題】
【０００５】
ところが、連結型の場合には下部宝石のテーブル部分に凹部を設け、上部宝石のキュレット部分をはめ込むものであるため、下部宝石のカットによる反射面を上部宝石の上部から見通すことが難しいという問題があった。
また、間隔形成型の場合には下部宝石のテーブル面で光が反射してしまうため、下部宝石のカットによる反射は、上部宝石の上面から透視することができないという問題があった。
そこで、本考案は、下部宝石のカットによる反射面を上部宝石の上部から見通すことを可能とした装飾品用宝石を提供することを目的としてなされたものである。
【課題を解決するための手段】
【０００６】
すなわち本考案の装飾品用宝石は、透明の上部宝石と、該上部宝石の下部に配設された有色宝石とを備え、前記上部宝石のパビリオン下部に凹部を設けた上、前記有色宝石の少なくともテーブルからクラウンにかけての部分を該凹部に収納して両者を連結固定したことを特徴とするものである。
【０００７】
本考案の装飾品用宝石において、前記上部宝石のパビリオン下部に設けた凹部が、前記有色宝石のテーブルからクラウンにかけての部分を収納できるサイズであることをも特徴とするものである。
【０００８】
本考案の装飾品用宝石において、前記上部宝石のパビリオン下部に設けた凹部が、前記有色宝石のテーブルからクラウンにかけての部分を収納し、さらにその上部にアーチ状の空間を形成されていることをも特徴とするものである。
【０００９】
本考案の装飾品用宝石において、透明の上部宝石と、該上部宝石の下部に配設された有色宝石とを備え、前記有色宝石のテーブル面に凹部を設けた上、前記上部宝石のパビリオン下部を該凹部に収納して両者を連結固定したことをも特徴とするものである。
【００１０】
本考案の装飾品用宝石において、透明の上部宝石と、該上部宝石の下部に配設された有色宝石とを備え、前記上部宝石のパビリオン下部に水平面を形成した上、前記有色宝石のテーブル面を前記水平面に突き合わせて両者を連結固定したことをも特徴とするものである。
【００１１】
本考案の装飾品用宝石において、透明の上部宝石と、該上部宝石の下部に配設された有色宝石とを備え、前記有色宝石のパビリオン下部に凹部を形成した上、前記上部宝石のパビリオン下部を前記有色宝石の凹部に収納して両者を連結固定したことをも特徴とするものである。
【００１２】
本考案の装飾品用宝石において、透明の上部宝石と、該上部宝石の下部に配設された有色宝石とを備え、その両者を上下の開口部を設けた枠内に収納したことをも特徴とするものである。
【００１３】
本考案の装飾品用宝石において、透明の上部宝石と、該上部宝石の下部に配設された有色宝石とは、そのいずれかないし両者を複数の縦割りパーツを連結することにより宝石としてなるものであることをも特徴とするものである。
【考案の効果】
【００１４】
本考案の請求項１の装飾品用宝石では、透明の上部宝石と、該上部宝石の下部に配設された有色宝石とを備え、前記上部宝石のパビリオン下部に凹部を設けた上、前記有色宝石の少なくともテーブルからクラウンにかけての部分を該凹部に収納して両者が連結固定される。
また、請求項２の装飾品用宝石では、前記上部宝石のパビリオン下部に設けた凹部が、前記有色宝石のテーブルからクラウンにかけての部分を収納できるサイズである。
請求項３の装飾品用宝石では、前記上部宝石のパビリオン下部に設けた凹部が、前記有色宝石のテーブルからクラウンにかけての部分を収納し、さらにその上部にアーチ状の空間を形成されている。
請求項４の装飾品用宝石では、透明の上部宝石と、該上部宝石の下部に配設された有色宝石とを備え、前記上部宝石のパビリオン下部に水平面を形成した上、前記有色宝石のテーブル面を前記水平面に突き合わせて両者を連結固定している。
請求項５の装飾品用宝石では、透明の上部宝石と、該上部宝石の下部に配設された有色宝石とを備え、前記上部宝石および有色宝石のパビリオン下部に水平面をそれぞれ形成した上、前記有色宝石を反転してその水平面を前記上部宝石の水平面に突き合わせて両者を連結固定している。
請求項６の装飾品用宝石では、透明の上部宝石と、該上部宝石の下部に配設された有色宝石とを備え、前記有色宝石のパビリオン下部に凹部を形成した上、前記上部宝石のパビリオン下部を前記有色宝石の凹部に収納して両者を連結固定している。
請求項７の装飾品用宝石では、透明の上部宝石と、該上部宝石の下部に配設された有色宝石とを備え、その両者を上下の開口部を設けた枠内に収納している。
【００１５】
本考案は請求項１〜７のように構成したので、連結型における下部宝石のテーブル部分に凹部を設け、上部宝石のキュレット部分をはめ込んだ場合のように下部宝石のカットによる反射面を上部宝石の上部から見通すことが難しいという問題が解消された。
また、間隔形成型の場合における下部宝石のテーブル面で光が反射してしまうため、下部宝石のカットによる反射は、上部宝石の上面から透視することができないという問題も解消された。
したがって本考案によれば、下部宝石のカットによる反射面を上部宝石の上部から見通すことができる装飾品用宝石を提供することが可能となった。
【図面の簡単な説明】
【００１６】
【図１】本考案の装飾品用宝石の第１の実施の形態を示し、（ａ）は上部宝石および下部宝石の分解状態の側面図、（ｂ）はその断面図である。
【図２】（ａ）はその斜視図、（ｂ）はその中央切断斜視図である。
【図３】（ａ）は上部宝石および下部宝石の結合状態の側面図、（ｂ）はその断面図である。
【図４】（ａ）はその斜視図、（ｂ）はその中央切断断面図である。
【図５】本考案の装飾品用宝石の第２の実施の形態を示し、（ａ）は上部宝石および下部宝石の分解状態の側面図、（ｂ）はその断面図である。
【図６】（ａ）はその斜視図、（ｂ）はその中央切断斜視図である。
【図７】（ａ）は上部宝石および下部宝石の結合状態の側面図、（ｂ）はその断面図である。
【図８】（ａ）はその斜視図、（ｂ）はその中央切断斜視図である。
【図９】本考案の装飾品用宝石の第３の実施の形態を示し、（ａ）は上部宝石および下部宝石の分解状態の側面図、（ｂ）はその断面図である。
【図１０】（ａ）はその斜視図、（ｂ）はその中央切断斜視図である。
【図１１】（ａ）は上部宝石および下部宝石の結合状態の側面図、（ｂ）はその断面図である。
【図１２】（ａ）はその斜視図、（ｂ）はその中央切断斜視図である。
【図１３】本考案の装飾品用宝石の第４の実施の形態を示し、（ａ）は上部宝石および下部宝石の分解状態の側面図、（ｂ）はその断面図である。
【図１４】（ａ）は上部宝石および下部宝石の結合状態の側面図、（ｂ）はその断面図である。
【図１５】本考案の装飾品用宝石の第５の実施の形態を示し、（ａ）は上部宝石および下部宝石の分解状態の側面図、（ｂ）はその断面図である。
【図１６】（ａ）は上部宝石および下部宝石の結合状態の側面図、（ｂ）はその断面図である。
【図１７】本考案の装飾品用宝石の第６の実施の形態を示す平面図である。
【図１８】その断面図である。
【図１９】（ａ）はその斜視図、（ｂ）はその中央切断斜視図である。
【図２０】装飾品用宝石を反転した状態を示す底面図である。
【図２１】その断面図である。
【図２２】本考案の装飾品用宝石の第７の実施の形態を示す概略断面図である。
【図２３】本考案の装飾品用宝石の第８の実施の形態を示し、（ａ）は上部宝石および下部宝石の分解状態の側面図、（ｂ）はその断面図である。
【図２４】（ａ）はその斜視図、（ｂ）はその中央切断斜視図である。
【図２５】（ａ）は上部宝石および下部宝石の結合状態の側面図、（ｂ）はその断面図である。
【図２６】（ａ）はその斜視図、（ｂ）はその中央切断斜視図である。
【図２７】（ａ）は下部宝石の分解状態の斜視図、（ｂ）は下部宝石の結合状態の斜視図、（ｃ）は上部宝石と結合した状態の斜視図である。
【図２８】従来例の装飾品用宝石を示し、（ａ）は上部宝石および下部宝石の分解状態の側面図、（ｂ）はその断面図である。
【図２９】（ａ）は上部宝石および下部宝石の結合状態の側面図、（ｂ）はその断面図である。
【考案を実施するための形態】
【００１７】
以下に、本考案にかかる装飾品用宝石をその実施の形態として、指輪やブローチ、イヤリング、ペンダントトップ等に適用できる構造としたものを、図面に基いて詳細に説明する。
すなわち第１実施例の装飾品用宝石１１は、図１ないし図４に示すように、透明の上部宝石１２と、該上部宝石１２の下部に配設された有色宝石１３とを備え、前記上部宝石１２のパビリオン下部に凹部１２ａを設けた上、前記有色宝石１３の少なくともテーブル１３ａからクラウン１３ｂにかけての部分を該凹部１２ａに収納して両者を連結固定したものである。本例では前記上部宝石１２のパビリオン下部に設けた凹部１２ａは、前記有色宝石１３のテーブル１３ａからクラウン１３ｂにかけての部分をぴったりと収納するサイズとなっている。
すなわち、図１（ａ），（ｂ），図２（ａ），（ｂ）のようにパビリオン下部に凹部１２ａを設けた上部宝石１２と、テーブル１３ａからクラウン１３ｂにかけての部分を該凹部１２ａに収納することができる有色宝石１３とを準備する。
そして図３（ａ），（ｂ），図４（ａ），（ｂ）のようにこの有色宝石１３のテーブル１３ａからクラウン１３ｂにかけての部分を、前記上部宝石１２のパビリオン下部に設けた凹部１２ａに収納すると完成である。
【００１８】
また、前記透明の上部宝石１２としてはダイヤモンド、貴石、半貴石、合成石、人造石、キュービックジルコニア等が好適であり、ブリリアントカットでカラーグレードは高くなくてもよい。次に有色宝石１３としては、ルビー等の赤色系、ピンクサファイア等のピンク系、ブルーサファイア等の青紫系、アクアマリン等の水色系、エメラルド等のグリーン系、ガーネット等のオレンジ／イエロー系等を用いることができる。
【００１９】
第２実施例の装飾品用宝石２１は、図５ないし図８に示すように、透明の上部宝石２２と、該上部宝石２２の下部に配設された有色宝石２３とを備え、前記上部宝石２２のパビリオン下部に凹部２２ａを設けた上、前記有色宝石２３の少なくともテーブル２３ａからクラウン２３ｂにかけての部分を該凹部２２ａに収納して両者を連結固定したものである。本例では前記上部宝石２２のパビリオン下部に設けた凹部２２ａは、テーブル２３ａの上部にアーチ状の空間を形成した構造となっている。
すなわち、図５（ａ），（ｂ），図６（ａ），（ｂ）のようにパビリオン下部にアーチ状の凹部２２ａを設けた上部宝石２２と、テーブル２３ａからクラウン２３ｂにかけての部分をアーチ状凹部２２ａに収納することができる有色宝石２３とを準備する。
そして図７（ａ），（ｂ），図８（ａ），（ｂ）のようにこの有色宝石２３のテーブル２３ａからクラウン２３ｂにかけての部分を、前記上部宝石２２のパビリオン下部に設けた凹部２２ａに収納すると完成である。
この実施例においては、前記アーチ状の凹部２２ａによって光の屈折やレンズ効果が生じ、より複雑な光の屈折が見られることとなる。
【００２０】
第３実施例の装飾品用宝石３１は、図９ないし図１２に示すように、透明の上部宝石３２と、該上部宝石３２の下部に配設された有色宝石３３とを備え、前記上部宝石３２のパビリオン下部に水平面３２ａを形成した上、前記有色宝石３３のテーブル３３ａを前記水平面３２ａに突き合わせて両者を連結固定したものである。
すなわち、図９（ａ），（ｂ），図１０（ａ），（ｂ）のようにパビリオン下部に水平面３２ａを設けた上部宝石３２と、テーブル３３ａを備えた有色宝石３３とを準備する。
そして図１１（ａ），（ｂ），図１２（ａ），（ｂ）のようにこの有色宝石３３のテーブル３３ａの部分を、前記上部宝石３２のパビリオン下部に設けた水平面３２ａに接続固定すると完成である。
この実施例においては、前記水平面３２ａによってより複雑な光の屈折が見られることとなる。
【００２１】
第４実施例の装飾品用宝石４１は、図１３ないし図１４に示すように、透明の上部宝石４２と、該上部宝石４２の下部に配設された有色宝石４３とを備え、前記上部宝石４２のパビリオン下部に水平面４２ａを形成し、前記有色宝石４３を反転してそのパビリオン下部に設けた水平面４３ａを前記水平面４２ａに突き合わせて両者を連結固定したものである。
すなわち、図１３（ａ），（ｂ）のようにパビリオン下部に水平面４２ａを設けた上部宝石４２と、水平面４３ａを備えた有色宝石４３とを準備する。
そして図１４（ａ），（ｂ）のようにこの有色宝石４３の水平面４３ａの部分を、前記上部宝石４２のパビリオン下部に設けた水平面４２ａに接続固定すると完成である。
この実施例においては、前記水平面４２ａ，４３ａによってより複雑な光の屈折が見られることとなり、しかも上下反転させてリバーシブル装身具としても利用することができる。
【００２２】
第５実施例の装飾品用宝石５１は、図１５ないし図１６に示すように、透明の上部宝石５２と、該上部宝石５２の下部に配設された有色宝石５３とを備え、該有色宝石５３を反転してそのパビリオン下部に凹部５３ａを形成し、前記上部宝石５２のパビリオン下部を前記凹部５３ａに収納させて両者を連結固定したものである。
すなわち、図１５（ａ），（ｂ）のように上部宝石５２と、パビリオン下部に凹部５３ａを形成した有色宝石５３とを準備する。
そして図１６（ａ），（ｂ）のようにこの有色宝石５３を反転してそのパビリオン下部に形成した凹部５３ａに前記上部宝石５２のパビリオン下部を収納して固定すると完成である。
この実施例においては、前記接続面によってより複雑な光の屈折が見られることとなり、しかも上下反転させてリバーシブル装身具としても利用することができる。
【００２３】
第６実施例の装飾品用宝石６１は、図１７ないし図２１に示すように、透明の上部宝石６２と、該上部宝石６２の下部に配設された有色宝石６３とを備え、該有色宝石６３を反転してそのパビリオン下部に凹部６３ａを形成し、前記上部宝石６２のパビリオン下部を前記凹部６３ａに収納させて両者を連結固定したものである。本実施例では装飾品用宝石６１はさらに、円筒状でその両端部に開口を設けた宝石枠６４に収納されている。
先ず、図１７，図１８，１９（ａ），（ｂ）のように上部宝石６２と、パビリオン下部に凹部６３ａを形成した有色宝石６３とを準備して、この有色宝石６３を反転してそのパビリオン下部に形成した凹部６３ａに前記上部宝石６２のパビリオン下部を収納して固定した上、これを宝石枠６４に収納すると完成である。
この実施例においては、前記接続面によってより複雑な光の屈折が見られることとなり、しかも宝石枠６４があるため図２０，図２１に示すように容易に上下反転させることができ、したがってリバーシブル装身具としても利用することができる。
【００２４】
図２２は第７実施例の装飾品用宝石７１を示すものであり、宝石枠７２の上下左右の４つの面に開口７３を設け、該開口７３にそれぞれ第２実施例の装飾品用宝石２１を取り付けたものである。すなわち、第２実施例の装飾品用宝石２１は透明の上部宝石２２と、該上部宝石２２の下部に配設された有色宝石２３とを備え、前記上部宝石２２のパビリオン下部に凹部２２ａを設けた上、前記有色宝石２３の少なくともテーブル２３ａからクラウン２３ｂにかけての部分を該凹部２２ａに収納して両者を連結固定したものであり、前記上部宝石２２のパビリオン下部に設けた凹部２２ａは、テーブル２３ａの上部にアーチ状の空間を形成した構造となっている。
【００２５】
図２３〜図２７は第８実施例の装飾品用宝石８１を示すものであり、左右一対の宝石パーツを接着した透明の上部宝石８２と、該上部宝石８２の下部に上部宝石８２の接着面と交差するようその接着面を配設された有色宝石を構成する第１パーツ８３と第２パーツ８４とを備え、前記上部宝石８２のパビリオン下部に水平面８２ａを形成し、前記パーツ８３，８４のテーブル面８３ａ，８４ａを前記水平面８２ａに突き合わせて両者を連結固定したものである。
この例においては、図２７（ａ）に示すように前記有色宝石として、異なる色彩や透明度の２つのパーツ８３およびパーツ８４を準備し、これを図２７（ｂ）のように結合して下部宝石となる有色宝石（８３，８４）としたものである。なお、本例では上部宝石８２の２つのパーツを接着したものとなっている。
そして図２３（ａ），（ｂ）、図２４（ａ），（ｂ）の段階から図２５（ａ），（ｂ）、図２６（ａ），（ｂ）、図２７（ｃ）のように、この有色宝石（８３，８４）のテーブル面８３ａ，８４ａを、前記上部宝石８２のパビリオン下部に設けた水平面８２ａに接続固定すると完成である。
第８実施例の装飾品用宝石８１においては、透明の上部宝石８２およびその下部に配設された有色宝石（８３，８４）を、それぞれ複数の縦割りパーツを準備して連結固定したものであるが、複数の縦割りパーツを３以上の縦割りパーツとしてもよく、また上部宝石８２や有色宝石のみ、複数の縦割りパーツを連結固定したものとしてもよい。
このように、上部宝石や有色宝石のそれぞれ、もしくは両者を複数の縦割りパーツを連結固定したものとすることにより、非常にカラフルで幻想的な装飾効果を奏するものとすることができる。
ちなみに、図２７（ｂ）の８５は、前記有色宝石を構成する第１パーツ８３と第２パーツ８４とをそれぞれイエロー系の宝石とブルー系の宝石とした場合に発色するグリーン系の発色部分である。
【００２６】
本考案は前記実施例１〜８のように構成したので、連結型における下部宝石のテーブル部分に凹部を設け、上部宝石のキュレット部分をはめ込んだ場合のように下部宝石のカットによる反射面を上部宝石の上部から見通すことが難しいという問題が解消された。
また、間隔形成型の場合における下部宝石のテーブル面で光が反射してしまうため、下部宝石のカットによる反射は、上部宝石の上面から透視することができないという問題も解消された。
したがって本考案は、下部宝石のカットによる反射面を上部宝石の上部から見通すことができる装飾品用宝石を提供することを可能としたものである。
【産業上の利用可能性】
【００２７】
以上のような構造の装飾品用宝石によれば、指輪に限らず、ペンダントとして、また指輪やペンダントに限らず、イアリングでもブレスレットでも種々の装飾品に応用できることは言うまでもない。
さらに、本考案の装飾品用宝石の形状としては前記各実施例の形状の他、マーキス型やハート形、つゆ（洋梨）形、角形等の種々の形状を採用することが可能である。
【符号の説明】
【００２８】
１１  装飾品用宝石
１２  上部宝石
１２ａ  凹部
１３  有色宝石
１３ａ  テーブル
１３ｂ  クラウン
２１  装飾品用宝石
２２  上部宝石
２２ａ  凹部
２３  有色宝石
２３ａ  テーブル
２３ｂ  クラウン
３１  装飾品用宝石
３２  上部宝石
３２ａ  水平面
３３  有色宝石
３３ａ  テーブル
４１  装飾品用宝石
４２  上部宝石
４２ａ  水平面
４３  有色宝石
４３ａ  水平面
５１  装飾品用宝石
５２  上部宝石
５３  有色宝石
５３ａ  凹部
６１  装飾品用宝石
６２  上部宝石
６３  有色宝石
６３ａ  凹部
６４  宝石枠
７１  装飾品用宝石
７２  宝石枠
７３  開口
８１  装飾品用宝石
８２  上部宝石
８２ａ  水平面
８３，８４  パーツ
８３ａ，８４ａ  テーブル面
８５  発色部分
【図１】
0003206303.tif 000003
【図２】
0003206303.tif 000004
【図３】
0003206303.tif 000005
【図４】
0003206303.tif 000006
【図５】
0003206303.tif 000007
【図６】
0003206303.tif 000008
【図７】
0003206303.tif 000009
【図８】
0003206303.tif 000010
【図９】
0003206303.tif 000011
【図１０】
0003206303.tif 000012
【図１１】
0003206303.tif 000013
【図１２】
0003206303.tif 000014
【図１３】
0003206303.tif 000015
【図１４】
0003206303.tif 000016
【図１５】
0003206303.tif 000017
【図１６】
0003206303.tif 000018
【図１７】
0003206303.tif 000019
【図１８】
0003206303.tif 000020
【図１９】
0003206303.tif 000021
【図２０】
0003206303.tif 000022
【図２１】
0003206303.tif 000023
【図２２】
0003206303.tif 000024
【図２３】
0003206303.tif 000025
【図２４】
0003206303.tif 000026
【図２５】
0003206303.tif 000027
【図２６】
0003206303.tif 000028
【図２７】
0003206303.tif 000029
【図２８】
0003206303.tif 000030
【図２９】
0003206303.tif 000031